(57)【要約】【課題】テーブルの位置高度を移動して使いやすくする折畳椅子とテーブルの結合構造を提供する。【解決手段】折畳椅子とテーブルの結合構造は、一組みテーブル、両可動接合桿、両椅子手すり桿を含んで構成される。そのうち、組みテーブルの外観は一長方形状で、上表面には物置凹槽を成形し、下表面には可動レールを設置する。可動接合桿の外観は主に一長方体形状で、上挟持部と下挟持部に分けられる。その上挟持部は最上面にＴ型丸桿を設置し、側面四面のうちの隣り合う両面にもＴ型丸桿を設置し、その下方には一半円状の上半円槽を成形する。下挟持部は上挟持部の下方の上半円槽に対応して相互対称の一下半円槽を設置する。椅子手すり桿の外観は一丸桿状で、その桿本体上には四方向に固定凹槽を設置する。【選択図】図1
0003141213.tif 000002
【実用新案登録請求の範囲】
【請求項１】
主に一組みテーブル、両可動接合桿、両椅子手すり桿から構成された折畳椅子とテーブルの結合構造において、そのうち、
組みテーブルは、外観が一長方形状で、上表面には物置凹槽を成形し、下表面には複数本の可動レールを設置するもので、
可動接合桿は、主に上挟持部と下挟持部に分かれ、上挟持部は最上面にＴ型丸桿を設置し、側面四面のうちの隣り合う両面にもまたＴ型丸桿を設置し、このＴ型丸桿の最上端は組みテーブルの下表面の可動レール内に設置し、可動接合桿全体は可動レールに沿って移動し、上挟持部の下方には半円状の上半円槽を成形し、上半円槽内に両固定凸塊を突設し、上挟持部の両側にはそれぞれ鎖合凸塊と関節接合槽を設置し、また下挟持部は上挟持部下方の上半円槽内に対応して相互に対称の一下半円槽を成形し、下半円槽にもまた両固定凸塊を成形し、下挟持部の両側は上挟持部の鎖合凸塊と関節接合槽にそれぞれ対応する鎖合凸塊と関節凸塊を成形し、上半円槽と下半円槽を椅子手すり桿本体の円形状と合わせ、椅子手すり桿桿本体で挟持し、上半円槽と下半円槽が椅子手すり桿桿本体を挟持すると、そこに設置した固定凸塊は椅子手すり桿上の固定凹槽に嵌合して固定するもので、
椅子手すり桿は、外観が主に一丸桿状で、その桿本体には四方向に固定凹槽を成形することを特徴とする折畳椅子とテーブルの結合構造。
【請求項２】
前記組みテーブルは、両椅子手すり桿と結合する時、可動接合桿は直立式とし、その場合可動レール内で前、後方向と左右方向に移動することを特徴とする請求項１記載の折畳椅子とテーブルの結合構造。
【請求項３】
前記組みテーブルは、両椅子手すり桿と結合する時、可動接合桿は横臥式とし、可動レール両端辺縁にしっかりと合い、可動レール内で前、後方向に移動することを特徴とする請求項１記載の折畳椅子とテーブルの結合構造。
【請求項４】
前記両可動接合桿は、同一の椅子手すり桿上に設置して組みテーブルを椅子側面に接合することを特徴とする請求項１記載の折畳椅子とテーブルの結合構造。
【請求項５】
前記可動接合桿は、直立接合方式もしくは横臥接合方式で、テーブルが異なる高さを形成することを特徴とする請求項４記載の折畳椅子とテーブルの結合構造。
【請求項６】
前記可動接合桿は、椅子側面支持フレーム上に接合し、組みテーブルを椅子側面に接合することを特徴とする請求項４記載の折畳椅子とテーブルの結合構造。
【請求項７】
前記椅子手すり桿本体は、正方形等その他の幾何学的形状で、上半円槽と下半円槽を接合する時には椅子手すり桿本体と相互に合う形状であることを特徴とする請求項１記載の折畳椅子とテーブルの結合構造。
【考案の詳細な説明】
【技術分野】
【０００１】
本考案は、テーブルの結合構造に関するもので、特に折畳椅子にテーブルを結合した構造に係る。
【背景技術】
【０００２】
公知の折畳み椅子に組み合わされたテーブルは、支持桿をテーブル下に固定し、その後に椅子の手すり桿上に接合する方式を採用しているため、テーブルの位置高度は固定して変えることができない。
【特許文献１】特開２０００−２２５０３３号公報
【考案の開示】
【考案が解決しようとする課題】
【０００３】
解決しようとする問題点は、以下の点である。
１、テーブル位置が固定しているため、移動できず、使用者の体型に基づいてテーブルを前へ出して移動させ、快適な空間を作ることができない。
２、高度が固定されているので、使用者は手動でテーブルの快適な高さを調整することができない。
本考案は、前記の問題点に鑑みてなされたもので、快適な空間を作れ、使用者は手動でテーブルの快適な高さを調整することができる折畳椅子とテーブルの結合構造を提供するものである。
【課題を解決するための手段】
【０００４】
本考案は、主に一組みのテーブル、両可動接合桿、両椅子手すり桿を含んで構成される。そのうち、組みテーブルの外観は一長方形状で、上表面には物置凹槽を成形し、下表面には可動レールを設置する。可動接合桿の外観は主に一長方体形状で、上挟持部と下挟持部に分けられる。その上挟持部は最上面にＴ型丸桿を設置し、側面四面のうちの隣り合う両面にもＴ型丸桿を設置し、その下方には一半円状の上半円槽を成形する。下挟持部は上挟持部の下方の上半円槽に対応して相互対称の一下半円槽を設置する。椅子手すり桿の外観は主に一丸桿状で、その桿本体上には四方向に固定凹槽を設置することを最も主要な特徴とする。
【考案の効果】
【０００５】
本考案の折畳椅子とテーブルの結合構造は、下述の利点がある。
１、本考案は組みテーブル下方に可動レールを設置し、可動接合桿を可動レール内に設置することにより、可動レールに沿って移動する。
２、本考案の可動接合桿は直立式接合と横臥式接合二種方式を採用することにより、テーブルの高さを調整して使用者が使いやすくなる。
【考案を実施するための最良の形態】
【０００６】
第1、2、3、4、5、6、7、8、9、10、11、12、13、14、15、16、17図に示すのは、本考案の各説明の指示図であり、考案者は公知の技術の欠点を改善し、本新型の折畳椅子とテーブルの結合構造を提案する。本考案は一種の折畳椅子とテーブルの結合構造で、主に一組みテーブル、両可動接合桿、両椅子手すり桿から構成される。
（実施例）
【０００７】
図1、2、3、4、5、6、7、8、9、10、11、12、13、14、15、16、17に示すのは、本考案の各説明図である。本考案は、一種の折畳椅子とテーブルの結合構造で、主に一組みテーブル１０、両可動接合桿２０、両椅子手すり桿３０を含んで構成する。そのうち、組みテーブル１０の外観は一長方形状で、上表面には物置凹槽１１を設置し、そこに各種物品を置き、下表面則には多数本の可動レール１２を設置する。
【０００８】
主に、図１、４、６、８、１１、１３に示すように、可動接合桿２０は両椅子手すり桿３０に取り付けられ、この可動接合桿２０外観は、主に一長方体形状で、図１７に示すように、上挟持部２１と下挟持部２２に分かれる。そのうち、その上挟持部２１は最上面にＴ型丸桿２３を設置し、側面四面のうちの隣り合う両面にもまたＴ型丸桿２３を設置する。そのＴ型丸桿２３の最上面は、主に図１４、１５に示すように、組みテーブル１０の下表面の可動レール１２内に設置し、可動接合桿２０全体は可動レール１２に沿って移動する。上挟持部２１の下方は、図１７に示すように、一半円状の上半円槽２１１が形成され、上半円槽２１１内に両固定凸塊２４を突設し、上挟持部２１の両側にはそれぞれ鎖合凸塊２１２と関節接合槽２１３を設置する。
【０００９】
下挟持部２２１は、上挟持部２１下方の上半円槽２１１に設置した相互対称の下半円槽２２１に対応し、下半円槽２２１にもまた両固定凸塊２４を突設する。また、下挟持部２２１の両側は上挟持部２１の鎖合凸塊２１２と関節接合槽２１３に対応する鎖合凸塊２２２と関節凸塊２２３がそれぞれ設置される。上半円槽２１１と下半円槽２２１は、図１等に示される椅子手すり桿３０本体の円形状に合い，椅子手すり桿３０本体を挟持する。上半円槽２１１と下半円槽２２１が椅子手すり桿３０本体を挟持すると、その上に設置した固定凸塊２４が嵌合椅子手すり桿３０上の固定凹槽３１で嵌合して固定する。
【００１０】
椅子手すり桿３０の外観は主にほぼ連続した円である中空の一丸桿状で、主に図１、１６に示すように、その桿本体上には四方向に固定凹槽３１を成形し、そのうちの所定の固定凹槽３１に可動接合桿２０の上半円槽２１１と下半円槽２２１に突設した固定凸塊２４を掛合して可動接合桿２０を固定する。
【００１１】
上挟持部２１の関節接合槽２１３は下挟持部２２１の関節凸塊２２３に合わせて嵌合し、一差込ピンを入れて固定する。上挟持部２１と下挟持部２２１の接合箇所には一可動関節を成形し、次に上挟持部２１の上半円槽２１１を椅子手すり桿３０上に嵌合し、上半円槽２１１内に突設した両固定凸塊２４を椅子手すり桿３０本体の固定凹槽３１に嵌合する。そして下挟持部２２１を挟持部２１の方向に蓋をし、下挟持部２２１の下半円槽２２１内に突設した両固定凸塊２４を椅子手すり桿３０本体の固定凹槽３１、鎖合凸塊２１２に嵌合し、上挟持部２１の鎖合凸塊２１２を合わせる。最後に一固定ネジ４０を差し込んで固定し、組立が完成する。
【００１２】
図４、５、１４に示すように、組みテーブル１０と両椅子手すり桿３０を結合する時、可動接合桿２０は直立式で可動接合桿２０が直立接合方式で実施された時、組みテーブル１０下表面に設置した可動レール１２内で前、後方向と左右方向に移動する。
【００１３】
図６、７、１５に示すように、組みテーブル１０と両椅子手すり桿３０を結合する時、可動接合桿２０は横臥式で、可動接合桿２０が横臥接合方式で実施された時、長さが増えるため、可動接合桿２０のＴ型丸桿２３は可動レール１２両端辺縁にしっかりと設置され、組みテーブル１０の下表面に設置した可動レール１２内で、前、後方向にのみ移動する。
【００１４】
図８、９、１１に示すように、両可動接合桿２０をすべて同一の椅子手すり桿３０上に設置し、組みテーブル１０は椅子側面に設置する接合方式で、組みテーブル１０と椅子は側面接合方式の場合、可動接合桿２０は直立接合方式もしくは横臥接合方式どちらでもよく、異なる高さのテーブル面を形成する。
【００１５】
図１２、１３に示すように、両可動接合桿２０は椅子側面支持フレーム上に設置して，椅子側面に外付けする接合方式を形成する。
【００１６】
以上のように、本考案の実施例によれば、組みテーブル下方に可動レールを設置し、可動接合桿を可動レール内に設置することにより、可動レールに沿って移動することができ、可動接合桿は直立式接合と横臥式接合二種方式を採用することにより、テーブルの高さを調整して使用者が使いやすくなる。
なお、考案の特徴を損なうものでなければ、上記の実施例に限定されるものではないことは勿論である。
【図面の簡単な説明】
【００１７】
【図１】本考案の実施例の立体図である。
【図２】本考案の組みテーブル可動レール断面指示１の図である。
【図３】本考案の組みテーブル可動レール断面指示２の図である。
【図４】本考案の接合動作一指示１の図である。
【図５】本考案の接合動作一指示２の図である。
【図６】本考案の接合動作二指示１の図である。
【図７】本考案の接合動作二指示２の図である。
【図８】本考案の接合動作三指示１の図である。
【図９】本考案の接合動作三指示２の図である。
【図１０】本考案の接合動作四指示１の図である。
【図１１】本考案の接合動作四指示２の図である。
【図１２】本考案の接合動作五指示１の図である。
【図１３】本考案の接合動作五指示２の図である。
【図１４】本考案の直立式可動接合桿活動の指示図である。
【図１５】本考案の横臥式可動接合桿活動の指示図である。
【図１６】本考案の椅子手すり桿断面指示図である。
【図１７】本考案の可動接合桿構造の分解図である。
【符号の説明】
【００１８】
１０        組みテーブル
１１        物置凹槽
１２        可動レール
２０        可動接合桿
２１        上挟持部
２１１        上半円槽
２１２        鎖合凸塊
２１３        関節凸塊
２２        下挟持部
２２１        下半円槽
２２２        鎖合凸塊
２２３        関節接合槽
２３        Ｔ型丸桿
２４        固定凸塊
３０        椅子手すり桿
３１        固定凹槽
４０        固定ネジ
【図１】
0003141213.tif 000003
【図２】
0003141213.tif 000004
【図３】
0003141213.tif 000005
【図４】
0003141213.tif 000006
【図５】
0003141213.tif 000007
【図６】
0003141213.tif 000008
【図７】
0003141213.tif 000009
【図８】
0003141213.tif 000010
【図９】
0003141213.tif 000011
【図１０】
0003141213.tif 000012
【図１１】
0003141213.tif 000013
【図１２】
0003141213.tif 000014
【図１３】
0003141213.tif 000015
【図１４】
0003141213.tif 000016
【図１５】
0003141213.tif 000017
【図１６】
0003141213.tif 000018
【図１７】
0003141213.tif 000019